(57)【要約】      （修正有）【課題】タッチパネルと電子装置の間で信号を双方向伝送するための光エネルギー感知装置を提供する。【解決手段】タッチスクリーンから発射された光エネルギーを電気エネルギーに転換しプロセッサの電源として供給する為の光電転換素子を備える。データはインタフェースを経由しプロセッサと電子装置との間で伝送される。信号送受信機はプロセッサが出力させた信号を受信し、拡大した後にタッチスクリーンに発信するか、或いはタッチスクリーンが発信した信号を受信し、インタフェースを経由させて電子装置に伝送させる。【選択図】図３
0003186807.tif 000002
【実用新案登録請求の範囲】
【請求項１】
タッチスクリーンから発射された光線の光エネルギーを電気エネルギーに転換させる光電転換素子と、
前記光電転換素子が転換させた電気エネルギーを使用するプロセッサと、
データを前記プロセッサと電子装置との間で伝送させるインタフェースと、
前記プロセッサが出力させた信号を受信し、拡大した後に前記タッチスクリーンに送信するか、或いは前記タッチスクリーンが発信した信号を受信し、前記インタフェースを経由させて前記電子装置に伝送させる信号送受信機を備える事を特徴とする、
光エネルギー感知装置。
【請求項２】
前記光電転換素子はシリコン太陽電池を備える事を特徴とする、請求項１に記載の光エネルギー感知装置。
【請求項３】
前記光電転換素子は集中型光電池を備える事を特徴とする、請求項１に記載の光エネルギー感知装置。
【請求項４】
前記電子装置の表面に固設される事を特徴とする、請求項１に記載の光エネルギー感知装置。
【請求項５】
前記光電転換素子、前記プロセッサ、前記インタフェース、前記信号送受信機、及び前記電子装置の表面を被覆させる保護層を更に備える事を特徴とする、請求項１に記載の光エネルギー感知装置。
【請求項６】
前記保護層に設けられる透光層を更に備える事を特徴とする、請求項５に記載の光エネルギー感知装置。
【請求項７】
前記保護層に設けられる光導部を更に備える事を特徴とする、請求項５に記載の光エネルギー感知装置。
【考案の詳細な説明】
【技術分野】
【０００１】
本考案は、タッチパネルと電子装置との間で信号を伝送させるための光エネルギー感知装置に関する。
【背景技術】
【０００２】
タッチスクリーン（ｔｏｕｃｈ  ｓｃｒｅｅｎ）は様々な電子装置に普遍的に応用されており、特に携帯装置（例えばタブレット型パソコンや携帯電話）によく用いられる。然しながら、タッチスクリーンの操作は一般的にはタッチスクリーン本体にのみ限定され、他の電子装置（例えばデジタルカメラ）との通信は困難であった。このため、タッチスクリーンの機能、特に通信機能は制限された。
【０００３】
このほか、ＲＦＩＤは物体の識別技術分野に於いて常用される技術であり、無線周波数電磁波によりデータ伝送を行い識別を行う。
【考案の概要】
【考案が解決しようとする課題】
【０００４】
しかしながら、前述した従来の技術では、電磁波は人体に悪影響を与えた。このほか、ＲＦＩＤが伝送するデータ量は非常に限られ、データ伝送も一方向のみで他のシステムとの間で双方向通信を行えなかった。
【０００５】
そこで、本考案者は上記の欠点が改善可能と考え、鋭意検討を重ねた結果、合理的かつ効果的に課題を改善する本考案の提案に到った。
【０００６】
本考案は、このような従来の問題に鑑みてなされたものである。上記課題解決のため、本考案は、光エネルギー感知装置を提供することを主目的とする。すなわち、タッチスクリーンが発射させる光線を給電に必要な電気エネルギーに転換させ、電子装置の識別及びタッチスクリーンとの双方向通信を可能にする。
【課題を解決するための手段】
【０００７】
上述した課題を解決し、目的を達成するために、本考案に係る光エネルギー感知装置は、タッチスクリーンから発射された光線の光エネルギーを電気エネルギーに転換させる光電転換素子と、前記光電転換素子が転換させた電気エネルギーを使用するプロセッサと、データを前記プロセッサと電子装置との間で伝送させるインタフェースと、前記プロセッサが出力させた信号を受信し、拡大した後に前記タッチスクリーンに送信するか、或いは前記タッチスクリーンが発信した信号を受信し、前記インタフェースを経由させて前記電子装置に伝送させる信号送受信機を備えることを特徴とする。
【図面の簡単な説明】
【０００８】
【図１】本考案の第１実施形態による光エネルギー感知装置を説明する応用概略図である。
【図２】本考案の第１実施形態によるタッチスクリーンを説明する概略図である。
【図３】本考案の第１実施形態による光エネルギー感知装置を説明するシステム模式図である。
【考案を実施するための形態】
【０００９】
以下に図面を参照して、本考案を実施するための形態について、詳細に説明する。なお、本考案は、以下に説明する実施形態に限定されるものではない。
（第１実施形態）
図１は本考案の第１実施形態による光エネルギー感知装置１００を説明する応用概略図である。ここでは、光エネルギー感知装置１００は電子装置（例えばデジタルカメラ）１０の表面１０１に固設することが可能である。なお、光エネルギー感知装置１００及び電子装置１０の表面１０１は選択的に保護層１０２により被覆させてもよい。
保護層１０２と電子装置１０との間の連結には固定方式ないしは着脱（ｄｅｔａｃｈａｂｌｅ）方式が採用される。このほか、保護層１０２と光エネルギー感知装置１００との対応する領域には透光層１０２１Ａが設けられ、光を透過させる。或いは光導部（ｌｉｇｈｔ  ｇｕｉｄｅ）１０２１Ｂが設けられ、光線を保護層１０２の第一表面（例えば頂面）１０２２から第二表面（例えば底面）１０２３へと引導し伝送させる。保護層１０２と光エネルギー感知装置１００との対応しない領域は透明か不透明であり、装飾パターンを有する。
【００１０】
また、本考案に係る光エネルギー感知装置１００はタッチスクリーン（ｔｏｕｃｈ  ｓｃｒｅｅｎ）と共に相互に作用する。図２は本考案の第１実施形態によるタッチスクリーン２００を説明する概略図である。
表示モジュール（例えば液晶表示モジュールやＬＣＭ）２１及びタッチパネル（ＴＰ）２２を主に備え、タッチパネル２２は表示モジュール２１の上面に位置され、タッチパネル２２の上表面はタッチ面２２１となる。このほか、表示モジュール２１が発生させる光線はタッチパネル２２を透過しタッチ面２２１から射出される。
【００１１】
図１に示す光エネルギー感知装置１００によれば、光エネルギー感知装置１００（或いは保護層１０２の透光層１０２１Ａ／光導部１０２１Ｂを経由）がタッチスクリーン２００のタッチ面２２１に近接するか接触した場合、光エネルギー感知装置１００はタッチスクリーン２００に接触位置を検知される以外、タッチ面２２１から射出された光線を更に受信させ、電気エネルギーに転換して電源を光エネルギー感知装置１００内の回路に供給させ、信号或いはデータをタッチスクリーン２００（例えば、タッチパネル２２の電極）に能動的に発信させ、これら前記データはタッチスクリーン２００上に表示される。または、光エネルギー感知装置１００はタッチスクリーン２００（例えば、タッチパネル２２の電極）から発信させる信号やデータを受信させる。
【００１２】
図３は本考案の第１実施形態による光エネルギー感知装置１００を説明するシステム模式図である。この好ましい実施形態では、光エネルギー感知装置１００は光電転換素子（ｐｈｏｔｏｖｏｌｔａｉｃ）１１を備え、光電効果（ｐｈｏｔｏｖｏｌｔａｉｃ  ｅｆｆｅｃｔ）を利用しタッチ面２２１から発射された光線の光エネルギーを電気エネルギー（例えば電流）に転換させる。
光電転換素子１１はシリコン（ｓｉｌｉｃｏｎ−ｂａｓｅｄ）太陽電池であり、アクティブ層には一般的にシリコンウェハーかシリコン薄膜が使用され、シリコンウェハーは単結晶シリコン（ｍｏｎｏｃｒｙｓｔａｌｌｉｎｅ  ｓｉｌｉｃｏｎ）、多結晶シリコン（ｍｕｌｔｉｃｒｙｓｔａｌｌｉｎｅ  ｓｉｌｉｃｏｎ）、或いはシリコンリボン（ｒｉｂｂｏｎ  ｓｉｌｉｃｏｎ）の内の何れか１つである。薄膜はテルル化カドミウム（ｃａｄｍｉｕｍ  ｔｅｌｌｕｒｉｄｅ、  ＣｄＴｅ）、ＣＩＧＳ（ｃｏｐｐｅｒ  ｉｎｄｉｕｍ  ｇａｌｌｉｕｍ  ｓｅｌｅｎｉｄｅ、  ＣＩＧＳ）、或いはアモルファスシリコン（ａｍｏｒｐｈｏｕｓ  ｓｉｌｉｃｏｎ、  Ａ−Ｓｉ）の内の何れか１つである。
光電転換素子１１は集中型光電池（化合物（ｃｈｅｍｉｃａｌ  ｃｏｍｐｏｕｎｄ−ｂａｓｅｄ）光電池）であり、アクティブ層には一般的にＩＩＩ―∨族化合物が使用され、例えばガリウムヒ素（ＧａＡｓ）、ヒ化インジウム錫（ＩｎｘＧａ１−ｘＡｓ）、リン化アルミニウム（ＡｌＰ）、或いはリン化ガリウム（ＧａＰ）等がある。
【００１３】
この好ましい実施形態における光エネルギー感知装置１００は例えば、マイクロプロセッサのプロセッサ１２を含み、光電転換素子１１が供給する電源を使用する。光エネルギー感知装置１００はデータをプロセッサ１２と電子装置１０との間で伝送させるインタフェース１３を更に備える。
光エネルギー感知装置１００は光電転換素子１１から供給される電源を使用する信号送受信機１４を更に含む。信号送受信機１４はプロセッサ１２から出力された信号或いはデータを受信させ、拡大した後にタッチスクリーン２００に発信させるか、或いはタッチスクリーン２００が発信した信号或いはデータを受信させ、インタフェース１３を経由させて電子装置１０に伝送させる。
これにより、タッチスクリーン２００のタッチパネル２２は電子装置１０（形状を識別させるのみではなく、ＩＤも識別させる）を正しく識別させ、電子装置１０とタッチスクリーン２００との間で双方向通信を更に行わせる。
【００１４】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１５】
１０        電子装置
１００      光エネルギー感知装置
１１        光電転換素子
１２        プロセッサ
１３        インタフェース
１４        信号送受信機
１０１      電子装置の表面
１０２      保護層
１０２１Ａ  透光層
１０２１Ｂ  光導部
１０２２    保護層の第一表面
１０２３    保護層の第二表面
２００      タッチスクリーン
２１        表示モジュール
２２        タッチパネル
２２１      タッチ面
【図１】
0003186807.tif 000003
【図２】
0003186807.tif 000004
【図３】
0003186807.tif 000005